(57)【要約】【課題】本発明の目的は、簡易な構成で、ブラシ粉の軸受内への侵入を確実に防止することが可能な軸受装置を提供することにある。【解決手段】本発明は、ブラシと、整流子および回転軸を有して構成された電機子と、該電機子を収容するための中空体からなるヨークハウジングと、を有して構成された回転電機に用いられる軸受装置Ｊに関する。この軸受装置Ｊは、回転電機の回転軸６１上に配設される軸受収容部３２と、この軸受収容部３２に収容され、回転軸６１を軸支する転がり軸受３５と、を備えている。軸受収容部３２は、整流子６３とは反対側へ開口する凹状に形成されると共に、回転軸６１が挿入される貫通孔３２ａを有して形成され、貫通孔３２ａの周囲部には、整流子６３側へ突出するブラシ粉侵入防止部３３が形成されている。【選択図】　図２
2004129365.tif 000002
【特許請求の範囲】
【請求項１】
ブラシと、整流子および回転軸を有して構成された電機子と、該電機子を収容するための中空体からなるヨークハウジングと、を有して構成された回転電機に用いられる軸受装置において、
該軸受装置は、前記回転電機の回転軸上に配設される軸受収容部と、
該軸受収容部に収容され、前記回転軸を軸支する軸受と、を備え、
前記軸受収容部は、外方に開口する凹状に形成されると共に、前記回転軸が挿通される貫通孔を有して形成され、
該貫通孔の周囲部には、前記整流子側へ突出するブラシ粉侵入防止部が形成されたことを特徴とする軸受装置。
【請求項２】
前記ブラシ粉侵入防止部は、前記回転電機の配設時において、前記整流子よりも鉛直下方に配置されたことを特徴とする請求項１に記載の軸受装置。
【請求項３】
前記ブラシ粉侵入防止部は、前記整流子側へ向かうに従って縮径するテーパ部を有して構成されたことを特徴とする請求項２に記載の軸受装置。
【請求項４】
前記ブラシ粉侵入防止部の半径方向外側周囲部には、前記整流子側へ開口する環状凹部が形成されたことを特徴とする請求項２又は請求項３に記載の軸受装置。
【請求項５】
前記環状凹部の開口部は、前記ブラシ粉侵入防止部の突出端部よりも前記整流子と反対側の部分に形成されたことを特徴とする請求項４に記載の軸受装置。
【請求項６】
請求項１乃至請求項５のいずれか一項に記載の軸受装置を用いたことを特徴とする回転電機。
【発明の詳細な説明】
【０００１】
【発明の属する技術分野】
本発明は、回転電機に係り、特に、ブラシから発生するブラシ粉の軸受内への侵入を防止する構造を備えた軸受装置および回転電機に関する。
【０００２】
【従来の技術】
従来から、ブラシおよび整流子を備えた直流型の回転電機では、整流子との摺接によってブラシの先端部が削られて、このブラシの先端部からいわゆるブラシ粉が発生することが知られている。
【０００３】
そして、ブラシ粉が、回転軸を軸支している軸受内に侵入した場合には、異音が発生したり、回転特性が低下したりするなどの不具合が発生することが考えられる。
【０００４】
そこで、ブラシ粉が軸受内に侵入し難いようにするために、軸受をブラシとはコアを挟んだ反対側の部分に配設するようにして、軸受をブラシから遠ざけたモータが考案されている（例えば、特許文献１参照）。
【０００５】
しかしながら、上記のように、軸受をブラシとはコアを挟んだ反対側の部分に配設するというモータの構造上における制約を受けると、設計変更などの自由度が低くなるという不具合がある。
【０００６】
そこで、軸受のすぐ近くにブラシを配設したモータであっても、ブラシ粉が軸受内に侵入しないようにするために、軸受とブラシとの間に遮蔽板等を設けたモータが考案されている（例えば、特許文献２参照）。
【０００７】
また、軸受に転がり軸受を使用したモータにおいて、転がり軸受の外輪と内輪との間に接触シールを設け、外輪と内輪との間にブラシ粉等の異物が侵入しないようにしたものが考案されている（例えば、特許文献３参照）。
【０００８】
【特許文献１】
特開平８−１４９７４２（第３頁第４欄第２３−３７行、図１）
【特許文献２】
特開平１０−２２５０４６（第２頁、図１、図２）
【特許文献３】
特開平１１−２９９７１０（第２頁第２欄第３１−４１行、図１）
【０００９】
【発明が解決しようとする課題】
しかしながら、上記のように、軸受とブラシとの間に遮蔽板等を設けたり、転がり軸受の外輪と内輪との間に接触シールを設けたりした場合には、構造が複雑になり、部品点数が増加するため、製造コストが嵩むという不具合がある。
【００１０】
本発明は、上記不具合に鑑みてなされたものであって、その目的は、簡易な構成で、ブラシ粉の軸受内への侵入を確実に防止することが可能な軸受装置を提供することにある。
【００１１】
また、本発明の他の目的は、ブラシからブラシ粉が発生しても、異音が発生したり、回転特性が低下したりすることを防止することが可能な回転電機を提供することにある。
【００１２】
【課題を解決するための手段】
前記課題は、請求項１に記載の軸受装置によれば、ブラシと、整流子および回転軸を有して構成された電機子と、該電機子を収容するための中空体からなるヨークハウジングと、を有して構成された回転電機に用いられる軸受装置において、該軸受装置は、前記回転電機の回転軸上に配設される軸受収容部と、該軸受収容部に収容され、前記回転軸を軸支する軸受と、を備え、前記軸受収容部は、外方に開口する凹状に形成されると共に、前記回転軸が挿通される貫通孔を有して形成され、該貫通孔の周囲部には、前記整流子側へ突出するブラシ粉侵入防止部が形成されたこと、により解決される。
【００１３】
このように、軸受装置が、回転電機の回転軸上に配設される軸受収容部と、軸受収容部に収容され、回転軸を軸支する軸受と、を備え、軸受収容部が、外方に開口する凹状に形成されると共に、回転軸が挿通される貫通孔を有して形成され、貫通孔の周囲部に、整流子側へ突出するブラシ粉侵入防止部が形成されていると、ブラシから発生したブラシ粉の軸受内への侵入を防止することが可能となる。
【００１４】
しかも、ブラシ粉が軸受収容部の周囲に堆積しても、ブラシ粉侵入防止部を整流子側に突出させており、ブラシ粉の堆積高さがブラシ粉侵入防止部を越えないようになっているので、堆積したブラシ粉が貫通孔から軸受収容部内へ侵入することを防止することが可能となる。
【００１５】
このとき、請求項２に記載の軸受装置のように、請求項１に記載の軸受装置において、ブラシ粉侵入防止部が、回転電機の配設時において、整流子よりも鉛直下方に配置されていると、ブラシから落下してくるブラシ粉の軸受内への侵入を、簡易な構成で確実に防止することが可能となるので好適である。
【００１６】
また、請求項３に記載の軸受装置のように、請求項２に記載の軸受装置において、ブラシ粉侵入防止部が、整流子側へ向かうに従って縮径するテーパ部を有して構成されていると、ブラシ粉がブラシ粉侵入防止部の上方から落下してきても、ブラシ粉は、ブラシ粉侵入防止部上に堆積することなく、ブラシ粉侵入防止部のテーパ部を伝ってブラシ粉侵入防止部の下方へ落ちていくので、ブラシ粉の軸受内への侵入を確実に防止することができ好適である。
【００１７】
また、請求項４に記載の軸受装置のように、請求項２又は請求項３に記載の軸受装置において、ブラシ粉侵入防止部の半径方向外側周囲部に、整流子側へ開口する環状凹部が形成されていると、ブラシから落下してきたブラシ粉を環状凹部に堆積させることが可能となり、また、堆積したブラシ粉が飛散しないようにすることが可能となるので好適である。
【００１８】
また、請求項５に記載の軸受装置のように、請求項４に記載の軸受装置において、環状凹部の開口部が、ブラシ粉侵入防止部の突出端部よりも整流子と反対側の部分に形成されていると、環状凹部内に堆積したブラシ粉がブラシ粉侵入防止部の突出端部から軸受収容部内へ侵入することを防止することが可能となるので好適である。
【００１９】
また、請求項６に記載の回転電機は、請求項１乃至請求項５のいずれか一項に記載の軸受装置を用いているので、ブラシ粉の軸受内への侵入を防止することが可能である。
【００２０】
従って、ブラシからブラシ粉が発生しても、異音が発生したり、回転特性が低下したりすることを防止することが可能である。
【００２１】
【発明の実施の形態】
以下、本発明の一実施形態について、図を参照して説明する。なお、以下に説明する部材、配置等は、本発明を限定するものではなく、本発明の趣旨に沿って各種改変することができることは勿論である。
【００２２】
図１、図２は本発明の一実施形態を示す図で、図１は回転電機の構成を示す側面断面図、図２は図１のＡ部拡大図である。
【００２３】
図１に示す本発明の一実施形態に係る回転電機１０は、ヨークハウジング２０と、フロントフレーム３０と、ラビリンスプレート４０と、ブラシ保持装置５０と、電機子６０と、軸受装置Ｊと、を有して構成されている。
【００２４】
なお、本発明の軸受装置Ｊは、後述する軸受収容部３２と、ブラシ粉侵入防止部３３と、転がり軸受３５と、環状凹部３６とによって構成されている。
【００２５】
ヨークハウジング２０は、カップ状の中空体で形成されており、電機子６０等を収容するものである。ヨークハウジング２０の底面中央部には、回転電機１０の軸方向内側へ開口するように、凹状の軸受収容部２１が形成されており、この軸受収容部２１には、転がり軸受２２が収容されている。
【００２６】
ヨークハウジング２０の筒状本体の内周面には、断面略扇形状からなる磁石で形成された固定子２３が周設され、ヨークハウジング２０の開口部２０ａには、フロントフレーム３０がネジ２４によって一体に組付けられている。
【００２７】
フロントフレーム３０は、ほぼ円板状の蓋体で構成されており、ヨークハウジング２０の開口部２０ａを塞ぐと共に、ブラシ保持装置５０を保持するためのものである。
【００２８】
フロントフレーム３０の中央部分には、図２に示すように、回転電機１０の軸方向外側へ突出する突出部３１が形成されており、この突出部３１の中央部分には、後述する整流子６３とは反対側（回転電機１０の外方）へ、開口する凹状の軸受収容部３２が形成されている。この軸受収容部３２には、回転電機１０の外側から嵌め込まれるようにして転がり軸受３５が収容されている。
【００２９】
軸受収容部３２の底面中央部には、後述する回転軸６１が挿入される貫通孔３２ａが軸方向に沿って形成されている。軸受収容部３２の底部に開口された貫通孔３２ａの周囲部には、軸受収容部３２の底部から整流子６３側へ突出するブラシ粉侵入防止部３３が形成されている。
【００３０】
このブラシ粉侵入防止部３３は、回転電機１０の軸方向に沿って整流子６３側へ向かうに従って縮径するテーパ部３４を有して構成され、回転軸６１の一部を覆うようになっている。
【００３１】
ブラシ粉侵入防止部３３の突出端部分には、貫通孔３２ａと連通する連通孔３３ａが形成され、この連通孔３３ａには、後述する回転軸６１が挿入されている。連通孔３３ａの内径は、回転軸６１の外径よりも僅かに大きくなっており、これにより、連通孔３３ａと回転軸６１とは、微小なクリアランスを保っている。
【００３２】
なお、ブラシ粉侵入防止部３３は、回転電機１０が転がり軸受２２を鉛直上側にして配置されたときに、後述する整流子６３よりも鉛直下方に位置するように配設されている。
【００３３】
また、ブラシ粉侵入防止部３３の軸受収容部３２との接続部分は、転がり軸受３５の内輪と離間するように形成されており、回転軸６１と共に回転する転がり軸受３５の内輪と干渉しないようになっている。
【００３４】
このように、本実施形態の軸受装置Ｊでは、軸受収容部３２の底部に開口された貫通孔３２ａの周囲部にブラシ粉侵入防止部３３が形成されているので、ブラシ５３から発生したブラシ粉が軸受収容部３２の周囲に堆積しても、貫通孔３２ａから軸受収容部３２内へブラシ粉が侵入することを防止することが可能となり、ブラシ粉の転がり軸受３５内への侵入を防止することが可能となっている。
【００３５】
フロントフレーム３０では、突出部３１の中央部分に軸受収容部３２が形成されることにより、ブラシ粉侵入防止部３３の半径方向外側周囲部に、整流子６３側へ開口する環状凹部３６が形成されている。
【００３６】
この環状凹部３６は、整流子６３とはブラシ粉侵入防止部３３を挟んだ反対側の部分に配設されており、環状凹部３６の開口部３６ａは、回転電機１０が転がり軸受２２を鉛直上側にして配置されたときに、ブラシ粉侵入防止部３３よりも鉛直下方に位置するように形成されている。
【００３７】
また、後述するブラシ５３と整流子６３との摺接部を通過し、回転電機１０の軸方向と平行な線を基準線Ｌ１としたときに、環状凹部３６は、基準線Ｌ１上に位置するようになっている。
【００３８】
このように、本実施形態の軸受装置Ｊでは、ブラシ粉侵入防止部３３の半径方向外側周囲部に、整流子６３側へ開口する環状凹部３６が形成されているので、ブラシ５３から落下してきたブラシ粉を環状凹部３６に堆積させることが可能となり、また、堆積したブラシ粉が飛散しないようにすることが可能となっている。
【００３９】
ラビリンスプレート４０は、軸受収容部３２に収容された転がり軸受３５が外部に飛び出さないようにすると共に、回転電機１０の外側から転がり軸受３５に水や塵が付着しないようにするためのものである。
【００４０】
ラビリンスプレート４０の外周部分には、回転電機１０の軸方向に沿って立設する環状の嵌合部４１が形成され、この嵌合部４１の内側部とフロントフレーム３０の突出部３１とが嵌合することにより、ラビリンスプレート４０とフロントフレーム３０とが一体に配設されている。
【００４１】
ラビリンスプレート４０の中央部分には、軸受収容部３２に転がり軸受３５が収容された状態で、軸受収容部３２の開口部を塞ぐように円形閉塞部４２が形成されている。
【００４２】
そして、この円形閉塞部４２によって軸受収容部３２の開口部が塞がれることにより、回転電機１０の外側から転がり軸受３５に水や塵が付着しないようになっている。
【００４３】
円形閉塞部４２の中央部分には、回転電機１０の軸方向に貫通する貫通孔４３が形成されており、この貫通孔４３には、後述する回転軸６１が挿入されている。
【００４４】
なお、円形閉塞部４２は、転がり軸受３５と離間するように形成されており、回転軸６１と共に回転する転がり軸受３５の内輪と干渉しないようになっている。
【００４５】
ブラシ保持装置５０は、図１に示すように、フロントフレーム３０の内側面に配設されており、基板５１と、ブラシボックス５２と、ブラシ５３と、ブラシバネ５４と、を有して形成されている。
【００４６】
ブラシ５３は、ブラシボックス５２によって摺動可能に保持されると共に、ブラシバネによって回転電機１０の半径方向内側へ付勢され、後述する電機子６０に配設された整流子６３に押圧摺接されている。また、ブラシ５３は、ピッグテール４４によってフロントフレーム３０に配設されたコネクタ３７と電気的に接続されている。
【００４７】
電機子６０は、回転電機１０の軸方向に沿って形成された棒状体からなる回転軸６１を有して構成されている。回転軸６１の中央部分には、コア鉄心６２が固設され、回転軸６１のブラシ保持装置５０側の部分には、整流子６３が配設されている。
【００４８】
コア鉄心６２には、巻線６４が巻回されており、この巻線６４の端部は、整流子６３と電気的に接続されている。整流子６３は、ブラシ保持装置５０に保持されたブラシ５３と摺接可能に形成され、ブラシ５３から供給された電流を巻線６４に整流することができるように構成されている。
【００４９】
そして、回転電機１０では、回転軸６１の両端が転がり軸受２２，３５にそれぞれ軸支されることによって、電機子６０全体が回転自在になっている。
【００５０】
また、図示しない外部電源供給装置からコネクタ３７を介してブラシ５３に所定の電圧が印加されることにより、ブラシ５３間に電流が流れて巻線６４に磁界が生じ、この磁界に対して固定子２３の吸引・反発力が作用することにより、電機子６０が回転駆動するようになっている。
【００５１】
次に、上記各構成からなる回転電機１０において、ブラシ５３と整流子６３との摺接に伴って発生するブラシ粉の転がり軸受３５内への侵入を防止する機能について説明する。
【００５２】
なお、本実施形態において、回転電機１０は、転がり軸受２２を鉛直上側にして配置されるよう好適に構成されている。従って、以下の説明では、回転電機１０が、転がり軸受２２を鉛直上側にして配置された状態について説明する。
【００５３】
はじめに、図示しない外部電源供給装置からコネクタ３７を介してブラシ５３に所定の電圧が印加されることにより、電機子６０が回転駆動する。このとき、ブラシ５３は、整流子６３に押圧摺接された状態となる。
【００５４】
このように、ブラシ５３が整流子６３に押圧摺接された状態で、電機子６０が回転駆動を続けると、ブラシ５３の先端部が整流子６３によって擦られることによりブラシ粉が発生する。そして、このブラシ５３から発生したブラシ粉は、ブラシ５３の鉛直下方に落下する。
【００５５】
ここで、上述のように、本実施形態の軸受装置Ｊでは、軸受収容部３２の底部に開口された貫通孔３２ａの周囲部に、軸受収容部３２の底部から整流子６３側へ突出するブラシ粉侵入防止部３３が形成されている。
【００５６】
従って、ブラシ５３から発生したブラシ粉が軸受収容部３２の周囲に堆積しても、ブラシ粉の堆積高さがブラシ粉侵入防止部３３の連通孔３３ａを越えることがないので、貫通孔３２ａから軸受収容部３２内へブラシ粉が侵入することを防止することができ、ブラシ粉の転がり軸受３５内への侵入を防止することが可能である。
【００５７】
また、本実施形態の軸受装置Ｊでは、ブラシ粉侵入防止部３３が、回転電機１０の軸方向に沿って整流子６３側へ向かうに従って縮径するテーパ部３４を有して構成され、回転軸６１の一部を覆うようになっている。
【００５８】
従って、ブラシ粉がブラシ粉侵入防止部３３の上方から落下してきても、ブラシ粉は、ブラシ粉侵入防止部３３上に堆積することなく、ブラシ粉侵入防止部３３のテーパ部３４を伝ってブラシ粉侵入防止部３３の下方へ落ちていくため、ブラシ粉の転がり軸受３５内への侵入を確実に防止することが可能である。
【００５９】
また、本実施形態の軸受装置Ｊでは、ブラシ５３と整流子６３との摺接部を通過する基準線Ｌ１上に、整流子６３側へ開口する環状凹部３６が形成されている。
【００６０】
従って、ブラシ５３の先端部からブラシ粉が発生しても、このブラシ粉は、環状凹部３６の中へ落下することが可能である。これにより、ブラシ５３の先端部から落下してきたブラシ粉が環状凹部３６内に堆積され、飛散しないようにすることが可能である。
【００６１】
また、環状凹部３６は、整流子６３とはブラシ粉侵入防止部３３を挟んだ反対側の部分に配設されているので、ブラシ５３から落下してくるブラシ粉の他に、ブラシ粉侵入防止部３３を伝って落下してくるブラシ粉も堆積することが可能である。
【００６２】
さらに、環状凹部３６の開口部３６ａは、ブラシ粉侵入防止部３３よりも鉛直下方に位置するように形成されているので、環状凹部３６にブラシ粉が堆積しても、この堆積したブラシ粉がブラシ粉侵入防止部３３の連通孔３３ａから貫通孔３２ａを通じて軸受収容部３２内へ入り込むことがない。
【００６３】
以上のように、本実施形態の回転電機１０において、軸受装置Ｊは、転がり軸受３５内にブラシ粉が侵入しないような構造となっている。
【００６４】
従って、ブラシ５３からブラシ粉が発生しても、転がり軸受３５から異音が発生したり、回転特性が低下したりするなどの不具合が発生することを防止することが可能である。
【００６５】
上記したように、本実施形態によれば、以下の効果を奏する。
（イ）図１，図２に示すように、本実施形態の軸受装置Ｊでは、軸受収容部３２の底部に開口された貫通孔３２ａの周囲部に、軸受収容部３２の底部から整流子６３側へ突出するブラシ粉侵入防止部３３が形成されている。
【００６６】
従って、ブラシ５３から発生したブラシ粉が軸受収容部３２の周囲に堆積しても、ブラシ粉の堆積高さがブラシ粉侵入防止部３３の連通孔３３ａを越えることがないので、貫通孔３２ａから軸受収容部３２内へブラシ粉が侵入することを防止することができ、ブラシ粉の転がり軸受３５内への侵入を防止することが可能である。
【００６７】
（ロ）また、本実施形態において、ブラシ粉侵入防止部３３が、回転電機１０の配設時において、整流子６３よりも鉛直下方に配置されている。これにより、ブラシ５３から落下してくるブラシ粉の転がり軸受３５内への侵入を、簡易な構成で確実に防止することが可能となる。
【００６８】
（ハ）また、ブラシ粉侵入防止部３３が、整流子６３側へ向かうに従って縮径するテーパ部３４を有して構成されている。これにより、ブラシ粉がブラシ粉侵入防止部３３の上方から落下してきても、ブラシ粉は、ブラシ粉侵入防止部３３上に堆積することなく、ブラシ粉侵入防止部３３のテーパ部３４を伝ってブラシ粉侵入防止部３３の下方へ落ちていくので、ブラシ粉の転がり軸受３５内への侵入を確実に防止することが可能となる。
【００６９】
（ニ）また、ブラシ粉侵入防止部３３の半径方向外側周囲部に、整流子６３側へ開口する環状凹部３６が形成されている。これにより、ブラシ５３から落下してきたブラシ粉を環状凹部３６に堆積させることが可能となり、また、堆積したブラシ粉が飛散しないようにすることが可能となる。
【００７０】
（ホ）また、環状凹部３６が、整流子６３とはブラシ粉侵入防止部３３を挟んだ反対側の部分に配設されている。これにより、ブラシ５３から落下してくるブラシ粉の他に、ブラシ粉侵入防止部３３を伝って落下してくるブラシ粉も堆積することが可能となる。
【００７１】
（ヘ）また、環状凹部３６の開口部３６ａは、ブラシ粉侵入防止部３３よりも鉛直下方に位置するように形成されている。これにより、環状凹部３６にブラシ粉が堆積しても、この堆積したブラシ粉がブラシ粉侵入防止部３３の連通孔３３ａから貫通孔３２ａを通じて軸受収容部３２内へ入り込むことがない。
【００７２】
（ト）また、本実施形態に係る回転電機１０は、上記軸受装置Ｊを用いているので、ブラシ５３から発生したブラシ粉が軸受収容部３２の周囲に堆積しても、貫通孔３２ａから軸受収容部３２内へブラシ粉が侵入することを防止すること可能となり、ブラシ粉の転がり軸受３５内への侵入を防止することが可能となる。
【００７３】
従って、ブラシ５３からブラシ粉が発生しても、転がり軸受３５から異音が発生したり、回転特性が低下したりするなどの不具合が発生することを防止することが可能である。
【００７４】
なお、本発明の実施の形態は、以下のように改変することができる。
（ａ）本実施形態の軸受装置Ｊでは、軸受に転がり軸受３５が使用されていたが、本発明はこれに限定されるものではなく、その他にも、すべり軸受や動圧軸受等が使用されていても良い。
【００７５】
（ｂ）本実施形態の軸受装置Ｊでは、ブラシ粉侵入防止部３３が、回転電機１０の軸方向に沿って整流子６３側へ向かうに従って縮径するテーパ部３４を有して構成されていたが、請求項１に記載の発明はこれに限定されるものではない。
【００７６】
ブラシ粉侵入防止部３３は、軸受収容部３２の底部に開口された貫通孔３２ａの周囲部において、回転軸６１を覆うように軸受収容部３２の底部から整流子６３側へ突出する形状で構成されていれば、例えば、中空円筒体等で構成されていても良い。
【００７７】
（ｃ）本実施形態の回転電機１０では、ブラシ５３が、電機子６０のコア鉄心６２よりも軸受装置Ｊ側の部分に配設されていたが、本発明はこれに限定されるものではない。ブラシ５３は、軸受装置Ｊとはコア鉄心６２を挟んだ反対側の部分の配設されていても良い。
【００７８】
【発明の効果】
以上詳述したように、本発明の軸受装置によれば、回転電機の回転軸上に配設されると共に、ブラシとは反対側へ開口する凹状の軸受収容部と、軸受収容部に収容され、回転軸を軸支する軸受と、を備え、軸受収容部に、回転軸が挿入される貫通孔が軸方向に沿って形成され、軸受収容部の底部に開口された貫通孔の周囲部に、軸受収容部の底部からブラシ側へ突出するブラシ粉侵入防止部が形成されているので、ブラシから発生したブラシ粉の軸受内への侵入を防止することが可能となる。
【００７９】
しかも、ブラシ粉が軸受収容部の周囲に堆積しても、ブラシ粉侵入防止部を整流子側に突出させており、ブラシ粉の堆積高さがブラシ粉侵入防止部を越えないようになっているので、堆積したブラシ粉が貫通孔から軸受収容部内へ侵入することを防止することが可能となる。
【００８０】
また、本発明の回転電機によれば、上記軸受装置を用いているので、ブラシから発生したブラシ粉が軸受収容部の周囲に堆積しても、ブラシ粉侵入防止部によって軸受収容部内に連通する貫通孔内へのブラシ粉の侵入が防止され、ブラシ粉の軸受内への侵入を防止することが可能となる。
【００８１】
従って、ブラシからブラシ粉が発生しても、異音が発生したり、回転特性が低下したりすることを防止することが可能である。
【図面の簡単な説明】
【図１】本発明の一実施形態に係る回転電機の構成を示す側面断面図である。
【図２】図１のＡ部拡大図である。
【符号の説明】
１０　回転電機、２０　ヨークハウジング、２０ａ　開口部、２１，３２　軸受収容部、２２，３５　転がり軸受、２３　固定子、２４　ネジ、３０　フロントフレーム、３１　突出部、３２ａ　貫通孔、３３　ブラシ粉侵入防止部、３３ａ連通孔、３４　テーパ部、３６　環状凹部、３６ａ　開口部、３７　コネクタ、４０　ラビリンスプレート、４１　嵌合部、４２　円形閉塞部、４３　貫通孔、４４　ピッグテール、５０　ブラシ保持装置、５１　基板、５２　ブラシボックス、５３　ブラシ、５４　ブラシバネ、６０　電機子、６１　回転軸、６２　コア鉄心、６３　整流子、６４　巻線、Ｊ　軸受装置
【図１】
2004129365.tif 000003
【図２】
2004129365.tif 000004